(57)【要約】【課題】複数の電話番号に対応する電話識別情報のうち、その何れかをアクセス元の情報として使用して任意のサイトをアクセスした場合に、その後も当該サイトをアクセスする際には当該電話識別情報を引き続いて使用してアクセスできるようにする。【解決手段】加入者番号としての複数の「電話番号」及び各電話番号に対応付けて予め固定的に割り当てられている「固定ＩＤ」が電番テーブル２１に記憶管理されている状態において、ＣＰＵ1は、何れかの「固定ＩＤ」をアクセス元の情報として使用して任意のサイトをアクセスした場合に、このサイトの「ＵＲＬ」をお気に入りテーブル２２に登録すべきことが指示された際に、この「ＵＲＬ」に対応付けて当該サイトをアクセスした際に使用した「固定ＩＤ」を登録し、その後、この登録サイトのアクセスが指示された際に、この登録サイトに対応付けられている「ＵＲＬ」及び「固定ＩＤ」を使用して当該サイトをアクセスする。【選択図】  図１
2007202061.tif 000002
【特許請求の範囲】
【請求項１】
ネットワーク上の任意のサイトをアクセス可能な携帯端末装置であって、
加入者番号としての複数の電話番号及びこの各電話番号に対応付けて割り当てられている電話識別情報を記憶管理する電話情報記憶手段と、
前記複数の電話識別情報の何れかをアクセス元の情報として使用して任意のサイトをアクセスした場合において、このサイトを呼び出すためのアクセス先情報を登録すべきことが指示された際に、このアクセス先情報に対応付けて当該サイトをアクセスした際に使用した前記電話識別情報を登録する登録手段と、
この登録手段によって登録されたサイトをアクセスする際に、この登録サイトに対応付けられている前記アクセス先情報及び電話識別情報を使用して当該サイトをアクセスするアクセス制御手段と、
を具備したことを特徴とする携帯端末装置。
【請求項２】
前記登録手段は、複数の電話識別情報の中から現在利用可能なアクティブ情報として選択されている電話識別情報を登録する、
ようにしたことを特徴とする請求項1記載の携帯端末装置。
【請求項３】
前記登録手段は、登録対象として指定されたサイトは、ユーザ認証を必要とする特定サイトか否かを判別し、特定サイトであることを条件に当該サイトをアクセスした際の電話識別情報を登録する、
ようにしたことを特徴とする請求項1あるいは請求項２記載の携帯端末装置。
【請求項４】
前記電話識別情報を登録するか否かを任意に選択指定する指定手段を設け、
この指定手段によって登録可が選択されていることを条件に前記登録手段は、当該サイトをアクセスした際の電話識別情報を登録し、
前記アクセス制御手段は、前記登録サイトをアクセスする際に、このサイトに対応して前記電話識別情報が登録されているか否かを判別し、登録を条件に電話識別情報をアクセス元の情報として当該サイトをアクセスする、
ようにしたことを特徴とする請求項1あるいは請求項２記載の携帯端末装置。
【請求項５】
前記登録手段によってアクセス先情報が登録された登録サイトをアクセスする際に、前記複数の電話識別情報の中から現在使用可能なアクティブ情報として選択されている電話識別情報と当該登録サイトに対応付けられている電話識別情報とを比較し、両者の不一致が検出された場合には、前記登録サイト対応の電話識別情報を一時的にアクティブ情報として選択する、
ようにしたことを特徴とする請求項1あるいは請求項２記載の携帯端末装置。
【請求項６】
前記登録手段によってアクセス先情報が登録された各登録サイト毎にそのサイト名を一覧表示する一覧形式と電話識別情報別にサイト名を分類して表示する分類形式とを任意に選択指定する指定手段を設け、この指定手段によって指定された表示形式で各登録サイト名を表示する、
ようにしたことを特徴とする請求項1記載の携帯端末装置。
【請求項７】
前記登録手段によってアクセス先情報が登録された各登録サイト毎にそのサイト名を一覧表示する際に、登録サイトに対応して前記電話識別情報が登録されているか否かを識別表示する、
ようにしたことを特徴とする請求項1記載あるいは請求項６記載の携帯端末装置。
【請求項８】
前記登録手段によってアクセス先情報が登録された各登録サイト毎にそのサイト名を電話識別情報別に分類して表示する際に、その分類を識別表示する、
ようにしたことを特徴とする請求項1記載あるいは請求項６記載の携帯端末装置。
【請求項９】
前記分類を識別表示する際に、前記複数の電話識別情報の中から現在利用可能なアクティブ情報として選択されている電話識別情報に対応する分類を識別表示する、
ようにしたことを特徴とする請求項８記載の携帯端末装置。
【請求項１０】
コンピュータに対して、
加入者番号としての複数の電話番号及びこの各電話番号に対応付けて割り当てられている電話識別情報を記憶管理する機能と、
前記複数の電話識別情報の何れかをアクセス元の情報として使用して任意のサイトをアクセスした場合において、このサイトを呼び出すためのアクセス先情報を登録すべきことが指示された際に、このアクセス先情報に対応付けて当該サイトをアクセスした際に使用した前記電話識別情報を登録する機能と、
登録されたサイトをアクセスする際に、この登録サイトに対応付けられている前記アクセス先情報及び電話識別情報を使用して当該サイトをアクセスする機能と、
を実現させるためのプログラム。
【発明の詳細な説明】
【技術分野】
【０００１】
この発明は、ネットワーク上の任意のサイトをアクセス可能な携帯端末装置及びプログラムに関する。
【背景技術】
【０００２】
従来、加入者番号として複数の電話番号を利用可能な携帯電話装置としては、例えば、複数の電話番号を最寄りの基地局に登録しておくことで複数の電話番号での同時待ち受けを可能とした移動体通信端末が知られている（特許文献１参照）。また、予め着信許可地域を登録しておくことで複数の電話番号をビジネス用とプライベート用に使い分けることが可能な移動体通信システムが知られている（特許文献２参照）。
【特許文献１】特開２００３−１８９３６１号公報
【特許文献２】特開２００３−０１８６５７号公報
【発明の開示】
【発明が解決しようとする課題】
【０００３】
この特許文献１の移動体通信端末にあっては、複数の電話番号での同時待ち受けが可能であっても、電話発信時には複数の電話番号の何れか一つの電話番号を使用して相手先を呼び出すため、予めどの電話番号を使用するかを任意に選択しておく必要がある。また、特許文献２の移動体通信システムにあっては、複数の電話番号を使い分けるためにサーバ側で携帯電話の着信抑制を行うものであり、これを携帯電話側で行うものとすると、着信許可地域か否かの判定用として全地球測位システム（ＧＰＳ）機能を装備しておく必要がある。
【０００４】
ところで、上述のように複数の電話番号を利用可能な携帯電話装置においては、各電話番号毎に予め固定的に割り当てられている電話識別情報（固定ＩＤ）が用意されており、インターネット上のサイトをアクセスする際には、この複数の固定ＩＤの中から何れかのＩＤを選択し、これをアクセス元の情報として使用してアクセスするようにしている。この際、例えば、有料サイトのように会員登録したサイトをアクセスする場合には、その都度、ユーザ認証が行われるために、例え、入力パスワードによる認証結果が正しくても、会員登録時に使用した固定ＩＤとその後のアクセスで使用した固定ＩＤとが異なる場合には、非会員と見なされてサイト閲覧などの利用が拒否されてしまう。このような場合に、固定ＩＤ毎にそれぞれ会員登録しておけばよいが、二重、三重の登録手続きが必要となる。
【０００５】
また、各電話番号に対応付けて割り当てられている複数の固定ＩＤを例えば、ビジネス用とプライベート用に使い分けるようにすれば、インターネット利用時のパケット通信料をビジネス／プライベート別に管理することができるため、料金上の混同を避けることが可能となるが、サイトをアクセスする都度、プライベート用の固定ＩＤからビジネス用の固定ＩＤに切り替えたり、ビジネス用の固定ＩＤからプライベート用の固定ＩＤに切り替えることは操作の煩雑化を招いてしまう。このことは、ビジネス用、プライベート用に使い分ける場合に限らず、例えば、プライベート用であっても、色々な場面で固定ＩＤを使い分けるような場合であっても同様の問題が起きる。
【０００６】
この発明の課題は、複数の電話番号に対応して割り当てられている電話識別情報のうち、その何れかをアクセス元の情報として使用して任意のサイトをアクセスした場合に、その後も当該サイトをアクセスする際には当該電話識別情報を引き続いて使用してアクセスできるようにすることである。
【課題を解決するための手段】
【０００７】
請求項１記載の発明は、ネットワーク上の任意のサイトをアクセス可能な携帯端末装置であって、加入者番号としての複数の電話番号及びこの各電話番号に対応付けて割り当てられている電話識別情報を記憶管理する電話情報記憶手段と、前記複数の電話識別情報の何れかをアクセス元の情報として使用して任意のサイトをアクセスした場合において、このサイトを呼び出すためのアクセス先情報を登録すべきことが指示された際に、このアクセス先情報に対応付けて当該サイトをアクセスした際に使用した前記電話識別情報を登録する登録手段と、この登録手段によって登録されたサイトをアクセスする際に、この登録サイトに対応付けられている前記アクセス先情報及び電話識別情報を使用して当該サイトをアクセスするアクセス制御手段とを具備したことを特徴とする。
更に、コンピュータに対して、上述した請求項１記載の発明に示した主要機能を実現させるためのプログラムを提供する（請求項１０記載の発明）。
【０００８】
なお、上述した請求項１記載の発明は次のようなものであってもよい。
前記登録手段は、複数の電話識別情報の中から現在利用可能なアクティブ情報として選択されている電話識別情報を登録する（請求項２記載の発明）。
【０００９】
前記登録手段は、登録対象として指定されたサイトは、ユーザ認証を必要とする特定サイトか否かを判別し、特定サイトであることを条件に当該サイトをアクセスした際の電話識別情報を登録する（請求項３記載の発明）。
【００１０】
前記電話識別情報を登録するか否かを任意に選択指定する指定手段を設け、この指定手段によって登録可が選択されていることを条件に前記登録手段は、当該サイトをアクセスした際の電話識別情報を登録し、前記アクセス制御手段は、前記登録サイトをアクセスする際に、このサイトに対応して前記電話識別情報が登録されているか否かを判別し、登録を条件に電話識別情報をアクセス元の情報として当該サイトをアクセスする（請求項４記載の発明）。
【００１１】
前記登録手段によってアクセス先情報が登録された登録サイトをアクセスする際に、前記複数の電話識別情報の中から現在使用可能なアクティブ情報として選択されている電話識別情報と当該登録サイトに対応付けられている電話識別情報とを比較し、両者の不一致が検出された場合には、前記登録サイト対応の電話識別情報を一時的にアクティブ情報として選択する（請求項５記載の発明）。
【００１２】
前記登録手段によってアクセス先情報が登録された各登録サイト毎にそのサイト名を一覧表示する一覧形式と電話識別情報別にサイト名を分類して表示する分類形式とを任意に選択指定する指定手段を設け、この指定手段によって指定された表示形式で各登録サイト名を表示する（請求項６記載の発明）。
【００１３】
前記登録手段によってアクセス先情報が登録された各登録サイト毎にそのサイト名を一覧表示する際に、登録サイトに対応して前記電話識別情報が登録されているか否かを識別表示する（請求項７記載の発明）。
【００１４】
前記登録手段によってアクセス先情報が登録された各登録サイト毎にそのサイト名を電話識別情報別に分類して表示する際に、その分類を識別表示する（請求項８記載の発明）。
この場合、前記分類を識別表示する際に、前記複数の電話識別情報の中から現在利用可能なアクティブ情報として選択されている電話識別情報に対応する分類を識別表示するようにしてもよい（請求項９記載の発明）。
【発明の効果】
【００１５】
請求項１記載の発明によれば、加入者番号としての複数の電話番号及びこの各電話番号に対応付けて割り当てられている電話識別情報が記憶管理されている状態において、複数の電話識別情報の何れかをアクセス元の情報として使用して任意のサイトをアクセスした場合に、このサイトのアクセス先情報を登録すべきことが指示された際に、このアクセス先情報に対応付けて当該サイトをアクセスした際に使用した電話識別情報を登録したのち、この登録サイトをアクセスする際に、この登録サイトに対応付けられているアクセス先情報及び電話識別情報を使用して当該サイトをアクセスするようにしたから、任意のサイトをアクセスした際に使用した電話識別情報をその後も当該サイトをアクセスする毎に引き続いて使用することができ、サイトをアクセス毎に電話識別情報を切り替える操作を行う必要はない。
したがって、例えば、会員サイトをアクセスする毎に、その会員登録時に使用した電話識別情報をその後も引き続いて使用することができるので、電話識別情報毎にその登録手続きを行う必要はない。また、電話識別情報の切り替えを行わなくても、例えば、複数の電話識別情報をビジネス用／プライベート用などに使い分けることもでき、パケット通信料の支払い管理も容易となる。
【００１６】
請求項２記載の発明によれば、上述した請求項１記載の発明と同様の効果を有するほか、複数の電話識別情報の中から現在利用可能なアクティブ情報として選択されている電話識別情報を登録するようにしたから、特別な操作を行わなくてもサイトアクセス時に使用した電話識別情報を登録することができる。
【００１７】
請求項３記載の発明によれば、上述した請求項１あるいは２記載の発明と同様の効果を有するほか、登録対象として指定されたサイトがユーザ認証を必要とする特定サイトであることを条件に当該サイトをアクセスした際の電話識別情報を登録するようにしたから、例えば、有料サイトのように会員登録を必要とする会員サイトなどをアクセスしたか、会員登録が不要なサイトなどをアクセスしたかに応じて電話識別情報を登録するか否かを決定することができる。
【００１８】
請求項４記載の発明によれば、上述した請求項１あるいは２記載の発明と同様の効果を有するほか、電話識別情報を登録するか否かを任意に選択可能であり、登録可が選択されていることを条件に当該サイトをアクセスした際の電話識別情報を登録し、この登録サイトをアクセスする際には、このサイトに対応して電話識別情報が登録されているか否かを判別し、登録を条件に電話識別情報をアクセス元の情報として当該サイトをアクセスするようにしたから、サイトアクセス時には所望する電話識別情報を使用することができ、ユーザの意向を反映させることが可能となる。
【００１９】
請求項５記載の発明によれば、上述した請求項１あるいは２記載の発明と同様の効果を有するほか、アクセス先情報が登録された登録サイトをアクセスする際に、複数の電話識別情報の中から現在使用可能なアクティブ情報として選択されている電話識別情報と当該登録サイトに対応付けられている電話識別情報とを比較し、両者の不一致が検出された場合には、登録サイト対応の電話識別情報を一時的にアクティブ情報として選択するようにしたから、特別な操作を行わなくても同じサイトには同じ電話識別情報を使用してアクセスすることが可能となる。
【００２０】
請求項６記載の発明によれば、上述した請求項１記載の発明と同様の効果を有するほか、アクセス先情報が登録された各登録サイト毎にそのサイト名を一覧表示する一覧形式と電話識別情報別にサイト名を分類して表示する分類形式とを任意に選択可能な場合に、各登録サイト名を指定された表示形式で表示するようにしたから、一覧形式のほか、分類形式での表示が可能となり、例えば、複数の電話識別情報をビジネス用／プライベート用などに使い分けるような場合に便利なものとなる。
【００２１】
請求項７記載の発明によれば、上述した請求項１あるいは６記載の発明と同様の効果を有するほか、アクセス先情報が登録された各登録サイト毎にそのサイト名を一覧表示する際に、登録サイトに対応して前記電話識別情報が登録されているか否かを識別表示するようにしたから、各登録サイトのうち、同じ電話識別情報を固定的に使用してアクセスするサイトか、自由に電話識別情報を選択してアクセスするサイトかの識別が可能となる。
【００２２】
請求項８記載の発明によれば、上述した請求項１あるいは６記載の発明と同様の効果を有するほか、アクセス先情報が登録された各登録サイト毎にそのサイト名を電話識別情報別に分類して表示する際に、その分類を識別表示するようにしたから、複数の電話識別情報をビジネス用／プライベート用に使い分けるような場合に、その識別が可能となる。
なお、分類を識別表示する際に、複数の電話識別情報の中から現在利用可能なアクティブ情報として選択されている電話識別情報に対応する分類を識別表示するようにしてもよい（請求項９記載の発明）。
【発明を実施するための最良の形態】
【００２３】
以下、図１〜図１０を参照して本発明の実施例を説明する。
この実施例は、携帯端末装置として携帯電話装置に適用した場合を例示したもので、図１は、この携帯電話装置の基本的な構成要素を示したブロック図である。
携帯電話装置は、通話機能、電子メール機能のほか、インターネット接続機能などのほか、デュアル電話番号機能が備えられている。このデュアル電話番号機能は、加入者番号として記憶管理している複数の電話番号（２つの電話番号）を選択的に切り替えて使用可能なもので、現在選択された電話番号を有効な番号として切り替えて電話発着信を行うようにしている。
【００２４】
ＣＰＵ１は、記憶部２内の各種のプログラムに応じてこの携帯電話装置の全体動作を制御する中核的な中央演算処理装置であり、このメインＣＰＵ１のほか、この携帯電話装置には、機能別に複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図４〜図７に示す動作手順に応じて本実施例を実現するためのプログラムが格納されている。また、記憶部２のデータ領域には、後述する電番テーブル２１、お気に入りテーブル２２などが格納されている。記録メディア３は、着脱自在な可搬型メモリで、画像データ、各種のデータ、プログラムなどを外部供給するもので、例えば、スマートメディア、ＩＣカードなどによって構成されている。メモリ４は、ワーク領域を有する内部メモリで、例えば、ＤＲＡＭ（Direct Random Access Memory）、ＳＤＲＡＭ（Synchronous DRAM）などによって構成されている。
【００２５】
電話通信部５は、無線部を構成するアンテナ５Ａに接続された送受信部（ベースバンド部）の受信側から信号を取り込んで受信ベースバンド信号に復調したのちに、音声制御部６を介して音声スピーカ７から音声出力させる。また、電話通信部５は、音声マイク８から入力された音声データを音声制御部６から取り込み、送信ベースバンド信号に符号化したのちに送受信部の送信側に与えられてアンテナ５Ａから発信出力させる。一方、電子メール機能、インターネット接続機能によって電話通信部５を介して受信取得した表示データは、表示制御部９を介してＬＣＤ（液晶表示装置）などを備えたメイン表示部１０に与えられて表示出力される。
【００２６】
メイン表示部１０は、文字情報、画像データ、各種のメッセージなどを高品位に表示し、装置本体の背面側に設けられたサブ表示部１１は、現在日時、簡易なメッセージ、アイコンなどを表示する。キー操作部１２は、ダイヤル入力、文字入力、コマンド入力などを行うもので、ＣＰＵ１は、キー操作部１２からのキー入力信号に応じた処理を実行する。報知部１３は、着信報知などの報知用のスピーカ、ＬＥＤ(発光ダイオード)、振動モータを備え、電話・メール着信時に駆動されて着信報知を行うほか、アラーム報知時にも駆動される。
【００２７】
図２は、電番テーブル２１を説明するための図である。
電番テーブル２１は、電番種別Ａ、Ｂ毎に「電話番号」、「メールアドレス」、「固定ＩＤ」、「選択フラグ」を記憶管理するもので、電番種別Ａ、Ｂ対応の「電話番号」は、デュアル番号としての加入者電話番号であり、例えば、種別Ａの電話番号を“ビジネス用”として使用し、種別Ｂの電話番号を“プライベート用”として使用することもできる。「メールアドレス」は、電子メールの自アドレスであり、電番種別Ａ、Ｂに対応してメールアドレスが１つずつ設定されているが、電番種別Ａ、Ｂ毎に複数のメールアドレスを設定するようにしてもよい。
【００２８】
「固定ＩＤ」は、加入者番号としての複数の電話番号に対応付けて予め固定的に割り当てられている電話識別情報（自己のユーザ情報）であり、電番テーブル２１には、電番種別Ａ、Ｂに対応して２種類の固定ＩＤが設定されており、ＣＰＵ１は、インターネット上のＷｅｂサイトをアクセスする際には、この２種類の固定ＩＤの中から何れかのＩＤを選択し、これをアクセス元の情報として使用してアクセスするようにしている。「選択フラグ」は、デュアル電話番号のうち、どの電話番号が現在有効な番号として選択されているかを示すもので、図中、丸印は、「選択フラグ」がオンされている状態であり、現在選択されている有効な番号を示している。
【００２９】
図３は、お気に入りテーブル２２を説明するための図である。
お気に入りテーブル２２は、アクセス頻度の高いＷｅｂサイトのＵＲＬ(Uniform Resource Locator)などを登録するブックマーク機能を構成するもので、登録サイト毎に「サイト名」、「ＵＲＬ」、「固定ＩＤ」を記憶管理する構成となっている。ここで、「固定ＩＤ」は、お気に入りサイトをアクセスした際に使用したもので、「ＵＲＬ」に対応して「固定ＩＤ」を登録するか否かを任意に選択可能となっており、電番種別Ａ、Ｂ対応の「固定ＩＤ」の何れかが必要に応じて登録される。
【００３０】
お気に入りテーブル２２の内容（サイト名）を表示出力させる際に、ＣＰＵ１は、この登録サイト名を一覧表示する一覧形式あるいは「固定ＩＤ」別にサイト名を分類して表示する分類形式のうち、何れの表示形式がユーザ操作によって選択されているかをチェックし、選択された形式で登録サイト名を案内表示するようにしている。この状態において、お気に入り画面内の任意の登録サイト名が選択されてそのアクセス指示を受けた際に、ＣＰＵ１は、当該サイト名対応の「ＵＲＬ」、「固定ＩＤ」をお気に入りテーブル２２から読み出し、この「ＵＲＬ」、「固定ＩＤ」を使用して当該Ｗｅｂサイトをアクセスするようにしている。
【００３１】
次にこの実施例におけるインターネット接続機能付き携帯電話装置の動作概念を図４〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３２】
図４〜図１１は、電源投入に伴って実行開始される携帯電話装置の全体動作を示したフローチャートである。
先ず、ＣＰＵ１は、電源投入時に、電番種別Ａ、Ｂ対応の「電話番号」のうち発信用として使用する「電話番号」を選択させるために、その選択メニューを表示させる（ステップＳ１）。このメニュー画面の中から電番種別Ａ、Ｂ対応の「電話番号」のうち、その何れか一方が発信用の電話番号として選択されると（ステップＳ２）、ＣＰＵ１は、この電話番号を現在利用可能なアクティブ番号とするために、この電話番号に対応付けて電番テーブル２１に「選択フラグ」をセットする（ステップＳ３）。
【００３３】
そして、ＣＰＵ１は、電話通信部５を作動させてアンテナから電波を発信させながら近辺の基地局との間で位置登録応答を行うことによって電波が最も強い基地局の位置を交換機側のデータベースに自己の現在位置として各電話番号毎に登録したのち（ステップＳ４）、各電話番号毎に発着信の待ち受け状態となる（ステップＳ５）。この状態において、通話着信あるいはメール着信有りを検出すると（ステップＳ６でＹＥＳ）、電番種別Ａ、Ｂの何れを宛先とした着信かを調べ、その宛先に対応する「電話番号」あるいは「メールアドレス」に基づいて着信処理を実行したのち (ステップＳ７)、ステップＳ５に戻って待ち受け状態となる。
【００３４】
また、待ち受け状態において、何らかの操作を検出すると（ステップＳ８でＹＥＳ）、Ｗｅｂアクセスが指示されたかをチェックし（ステップＳ９）、その他の指示操作であれば、指示操作に対応する処理として、例えば、メール作成処理、会員サイトに対する登録手続き、パスワード入力などの処理を行ったのち（ステップＳ１０）、ステップＳ５に戻って待ち受け状態となるが、Ｗｅｂアクセスが指示された場合には（ステップＳ９でＹＥＳ）、Ｗｅｂメニューを表示出力させる（ステップＳ１１）。図８は、このＷｅｂメニュー画面を示した図で、この画面内には「お気に入りから」、「ＵＲＬから」、「終了」の項目が表示される。「お気に入りから」は、お気に入りテーブル２２に登録されている「ＵＲＬ」に基づいてＷｅｂサイトをアクセスする場合のメニュー項目であり、「ＵＲＬから」は、ユーザ操作によって入力されたＵＲＬに基づいてＷｅｂサイトをアクセスする場合のメニュー項目であり、「終了」は、サイトアクセスの終了を指示する項目である。
【００３５】
ここで、Ｗｅｂメニュー画面の中から「ＵＲＬから」のメニュー項目が選択された場合において（図５のステップＳ１２でＹＥＳ）、ユーザ操作によって任意の「ＵＲＬ」が入力指定されると（ステップＳ１２）、ＣＰＵ１は、電番種別Ａ、Ｂのうち、発信用として現在選択されている電話番号（アクティブ番号）対応の「固定ＩＤ」を電番テーブル２１から読み出すと共に、この「固定ＩＤ」と入力された「ＵＲＬ」をインターネット接続先プロバイダに対して送信して該当サイトをアクセスする処理を行う（ステップＳ１４）。これに応答して送信されて来たＷｅｂページを受信すると、このページ内容を表示出力させたのち（ステップＳ１５）、操作待ち状態となる（ステップＳ１６）。
【００３６】
いま、受信ページを閲覧している状態において、何らかの操作が行われると、お気に入りサイトとして登録する指示操作かをチェックし（ステップＳ１７）、その他の指示操作であれば（ステップＳ１７でＮＯ）、Ｗｅｂメニュー画面内の「終了」の項目が選択されたかをチェックし（ステップＳ１８）、サイトアクセスの終了指示でなければ、操作対応処理として例えば、Ｗｅｂページの保存あるいは印刷などが行われるが（ステップＳ１９）、終了が指示された際には、図４のステップＳ５に戻って待ち受け状態となる。
【００３７】
ここで、お気に入り登録が指示されると（ステップＳ１７でＹＥＳ）、パスワードの入力有無をチェックする（ステップＳ２０）。ここで、パスワード入力を条件に、つまり、現在アクセス中のサイトに対してお気に入りサイトとして登録すべきことが指示された場合に、このサイトが有料サイトなどのように入力パスワードに基づいてユーザ認証を必要とするサイトであれば、それを条件に当該「サイト名」及び「ＵＲＬ」を取得したり、発信用として現在選択されている電話番号、つまり、「選択フラグ」がセットされている電話番号対応の「固定ＩＤ」を電番テーブル２１から読み出すことによって、この「サイト名」、「ＵＲＬ」、「固定ＩＤ」を対応付けてお気に入りテーブル２２に登録する処理を行う（ステップＳ２１）。
【００３８】
また、パスワードが入力されなければ（ステップＳ２０でＮＯ）、「サイト名」、「ＵＲＬ」と共に「固定ＩＤ」をお気に入りテーブル２２に登録するか否かをユーザに問い合わせるためにその確認メッセージを表示出力させる（ステップＳ２２）。ここで、非登録が指示された場合には（ステップＳ２３でＮＯ）、現在アクセス中のサイトの「サイト名」、「ＵＲＬ」をお気に入りテーブル２２に登録する（ステップＳ２４）。一方、「固定ＩＤ」の登録が指示された場合には（ステップＳ２３でＹＥＳ）、現在選択されている電話番号対応の「固定ＩＤ」を他の「固定ＩＤ」に変更するか否かをユーザに問い合わせるためにその確認メッセージを表示出力させる（ステップＳ２５）。
【００３９】
このメッセージ表示に応答して「固定ＩＤ」の不変更が指示された場合には（ステップＳ２６でＮＯ）、上述のステップＳ２１に移り、当該「サイト名」、「ＵＲＬ」に現在選択されている電話番号対応の「固定ＩＤ」を対応付けてお気に入りテーブル２２に登録するが、「固定ＩＤ」の変更が指示された場合には（ステップＳ２６でＹＥＳ）、現在選択されている電話番号対応の「固定ＩＤ」を他の「固定ＩＤ」に変更すると共に、この変更後の「固定ＩＤ」を当該「サイト名」、「固定ＩＤ」に対応付けてお気に入りテーブル２２に登録する処理を行う（ステップＳ２７）。以下、ステップＳ１８でサイトアクセスの終了が検出されるまでステップＳ１５に戻り、上述の動作が行われる。
【００４０】
一方、Ｗｅｂメニュー画面で「お気に入りから」のメニューが選択された場合において（図６のステップＳ２８でＹＥＳ）、お気に入りテーブル２２の登録サイト名を一覧表示する一覧形式あるいは「固定ＩＤ」別にサイト名を分類して表示する分類形式のうち、何れの表示形式がユーザ操作によって選択されると（ステップＳ２９）、この選択形式を判別し（ステップＳ３０）、表示形式として分類形式が選択された場合には（ステップＳ３０でＹＥＳ）、お気に入りテーブル２２の登録サイト名を「固定ＩＤ」別に分類して登録サイト名を一覧表示する（ステップＳ３１）。
【００４１】
図９は、お気に入りテーブル２２に登録されたサイト名を「固定ＩＤ」別に分類して表示する場合で、（Ａ）は、分類名の一覧画面を示し、この画面内には、「１：ＩＤ（１）の分類」、「２：ＩＤ（２）の分類」、「３：無分類」の各項目が表示される。
この場合、現在選択されている電話番号対応の「固定ＩＤ」に該当する分類項目を他の分類項目と識別するためにＣＰＵ1は、この分類項目を反転表示させる（ステップＳ３２）。図９（Ａ）の例では「１：ＩＤ（１）の分類」の項目（図中、斜線部分）が反転表示され、これに対応する電話番号が現在選択されているアクティブ番号であることが明示される。この分類名一覧画面の中から任意の分類項目を選択指定されると（ステップＳ３３）、この選択分類内の全ての登録サイト名を読み出してリスト表示させる。図９（Ｂ）は、選択分類内の登録サイト名（Ａサイト、Ｂサイト、‥‥Ｄサイト）が一覧表示されたリスト画面を示している。
【００４２】
他方、選択された表示形式が一覧形式であれば（ステップＳ３０でＮＯ）、お気に入りテーブル２２の先頭からその「サイト名」を指定すると共に（ステップＳ３５）、この指定サイト名に対応して「固定ＩＤ」が登録されているかを判別する（ステップＳ３６）。いま、「固定ＩＤ」が未登録であれば、当該「サイト名」を色表示（イエロー表示）するが（ステップＳ３７）、「固定ＩＤ」が登録されていれば（ステップＳ３６でＹＥＳ）、この「固定ＩＤ」は現在選択されている電話番号対応の「固定ＩＤ」と同一か否かを調べ（ステップＳ３８）、「固定ＩＤ」が同一であれば、当該「サイト名」を太字で表示し（ステップＳ３９）、「固定ＩＤ」が異なれば、当該「サイト名」を細字で表示する（ステップＳ４０）。
【００４３】
そして、ＣＰＵ１は、お気に入りテーブル２２に登録されている全てのサイト名を指定し終わったかを調べ（ステップＳ４１）、全てを指定し終わるまでステップＳ３５に戻り、次の「サイト名」を指定する。以下、「サイト名」を１つずつ順次指定しながら「サイト名」をイエロー表示／太字表示／細字表示するかを決定し、「サイト名」を識別表示させる。これによって、図１０に示すようなリスト画面が表示出力される（ステップＳ４２）。図１０は、表示形式として一覧形式が選択された場合におけるお気に入りリスト画面を示した図である。
【００４４】
このように図９（Ｂ）あるいは図１０に示したようなリスト画面が表示出力されている状態において、このリスト画面から任意の「サイト名」が選択指定されると（図７のステップＳ４３）、この指定サイト名に対応して「固定ＩＤ」が登録されているかを判別し（ステップＳ４４）、未登録であれば、ステップＳ４５に移り、お気に入りテーブル２２から指定サイト名対応の「ＵＲＬ」を読み出し、この「ＵＲＬ」でサイトアクセスを行うが、その際に、現在選択されている電話番号対応の「固定ＩＤ」を読み出し、電話識別情報として接続先プロバイダに送信する。以下、通常のサイトアクセス時と同様に、受信したＷｅｂページを表示出力させたのち（ステップＳ４６）、操作待ち状態となる（ステップＳ４７）。ここで、サイトアクセスの終了指示操作が行われると（ステップＳ４８）、図４のステップＳ５に戻って待ち受け状態となるが、その他の操作であれば、操作対応処理が行われる（ステップＳ４９）。
【００４５】
また、指定サイト名に対応して「固定ＩＤ」が登録されている場合には（ステップＳ４４でＹＥＳ）、この「固定ＩＤ」は現在選択されている電話番号対応の「固定ＩＤ」と同一か否かを調べ（ステップＳ５０）、「固定ＩＤ」が同一であれば、上述のステップＳ４５に移り、以下、「固定ＩＤ」が未登録の場合と同様の処理が行われる。これによって現在選択されている電話番号対応の「固定ＩＤ」が接続先プロバイダに送信される。また、「固定ＩＤ」が異なれば（ステップＳ５０でＮＯ）、現在選択されている電話番号を他の電話番号に一時的に切り替える（ステップＳ５１）。例えば、電番種Ａが現在選択されている電話番号であれば、電番種Ｂの電話番号に「選択フラグ」を一時的にセットすることによって電話番号の切り替えを行う。そして、お気に入りテーブル２２から指定サイト名対応の「ＵＲＬ」を読み出し、この「ＵＲＬ」でサイトアクセスを行うが、その際に、一時的に切り替えた電話番号対応の「固定ＩＤ」を電話識別情報として送信する（ステップＳ５２）。
【００４６】
以下、上述の場合と同様に、Ｗｅｂページを受信すると、このページ内容を表示出力させたのち（ステップＳ５３）、操作待ち状態となる（ステップＳ５４）。この状態において、何らかの操作が行われると、終了を指示する操作かを判別し（ステップＳ５５）、終了指示操作であれば、図４のステップＳ５に戻って待ち受け状態となるが、その他の操作であれば、操作対応処理が行われる（ステップＳ５６）。ここで、終了が指示されると、上述のように一時的に切り替えた電話番号を元の電話番号に戻したのち（ステップＳ５７）、図４のステップＳ５に戻って待ち受け状態となる。
【００４７】
以上のように、加入者番号としての複数の「電話番号」及びこの各電話番号に対応付けて予め割り当てられている「固定ＩＤ」が電番テーブル２１に記憶管理されている状態において、ＣＰＵ1は、複数の「固定ＩＤ」の何れかをアクセス元の情報として使用して任意のサイトをアクセスした場合に、このサイトの「ＵＲＬ」をお気に入りテーブル２２に登録すべきことが指示された際に、この「ＵＲＬ」に対応付けて当該サイトをアクセスした際に使用した「固定ＩＤ」を登録し、その後、この登録サイトのアクセスが指示された際に、この登録サイトに対応付けられている「ＵＲＬ」及び「固定ＩＤ」を使用して当該サイトをアクセスするようにしたから、任意のサイトをアクセスした際に使用した「固定ＩＤ」をその後も当該サイトをアクセスする毎に引き続いて使用することができ、サイトをアクセス毎に「固定ＩＤ」を切り替える操作を行う必要はない。
【００４８】
したがって、例えば、会員サイトをアクセスする毎に、その会員登録時に使用した「固定ＩＤ」をその後も引き続き使用することができるので、「固定ＩＤ」毎にその登録手続きを行う必要はない。また、「固定ＩＤ」の切り替え操作を行わなくても、例えば、複数の「固定ＩＤ」をビジネス用／プライベート用などに使い分けることもでき、パケット通信料の支払い管理も容易となる。
【００４９】
また、「固定ＩＤ」の登録時には、複数の「固定ＩＤ」の中から現在使用可能なアクティブな情報として選択されている「固定ＩＤ」を登録するようにしたから、特別な操作を行わなくてもサイトアクセス時に使用した「固定ＩＤ」を登録することができる。また、現在アクセス中のサイトに対してお気に入り登録が指示された場合に、このサイトが会員サイトなどユーザ認証を必要とするサイトであることを条件に、当該サイトをアクセスした際の「固定ＩＤ」を登録するようにしたから、例えば、有料サイトのように会員登録を必要とするサイトなどをアクセスしたか、会員登録が不要なサイトをアクセスしたかに応じて「固定ＩＤ」を登録するか否かを決定することができる。
【００５０】
「固定ＩＤ」を登録するか否かを任意に選択可能であり、登録可が選択されていることを条件に当該サイトをアクセスした際の「固定ＩＤ」を登録し、この登録サイトをアクセスする際には、このサイトに対応して「固定ＩＤ」が登録されているか否かを判別し、登録を条件に「固定ＩＤ」をアクセス元の情報として当該サイトをアクセスするようにしたから、サイトアクセス時には所望する「固定ＩＤ」を使用することができ、ユーザの意向を反映させることが可能となる。
【００５１】
お気に入りテーブル２２に登録されているサイトをアクセスする際に、ＣＰＵ１は、複数の「固定ＩＤ」の中から現在使用可能なアクティブ情報として選択されている「固定ＩＤ」と当該登録サイトに対応付けられている「固定ＩＤ」とを比較し、両者の不一致が検出された場合には、登録サイト対応の「固定ＩＤ」を一時的にアクティブ情報として選択するようにしたから、特別な操作を行わなくても同じサイトには同じ「固定ＩＤ」を使用してアクセスすることが可能となる。
【００５２】
お気に入りテーブル２２の内容を表示する際に、この登録サイト毎にそのサイト名を一覧表示する一覧形式とサイト名を分類して表示する分類形式とを任意に選択可能であり、この各サイト名を指定された表示形式で表示するようにしたから、一覧形式のほか、分類形式での表示が可能となり、例えば、複数の「固定ＩＤ」をビジネス用／プライベート用に使い分けるような場合に便利なものとなる。この場合、サイト名を一覧表示する際に、このサイトに対応して「固定ＩＤ」が登録されているか否かを識別表示するようにしたから、各サイトのうち、同じ「固定ＩＤ」を固定的に使用してアクセスするサイトか、自由に「固定ＩＤ」を選択してアクセスするサイトかの識別が可能となる。また、サイト名を分類して表示する際に、現在利用可能なアクティブ情報として選択されている「固定ＩＤ」に対応する分類を反転表示するようにしたから、その識別が可能となる。
【００５３】
なお、上述した実施例においてお気に入りテーブル２２は、「サイト名」、「ＵＲＬ」、「固定ＩＤ」を対応付けて記憶する構成としたが、「固定ＩＤ」毎に分類した分類別のお気に入りテーブルを設け、この分類別テーブルに「サイト名」、「ＵＲＬ」を記憶する構成であってもよい。つまり、電話種Ａ対応の「固定ＩＤ」と電話種Ｂ対応の「固定ＩＤ」に分類した分類別のお気に入りテーブルを設け、この分類別テーブルに「サイト名」、「ＵＲＬ」を記憶するようにしてもよい。
【００５４】
上述した実施例においては、電番テーブル２１に電番種別Ａ、Ｂ毎に「電話番号」、「メールアドレス」、「固定ＩＤ」などを記憶管理するようにしたが、複数のＵＩＭ（User Identity Module）カードを着脱自在に装着可能とし、このＵＩＭカードに加入者電話番号、「固定ＩＤ」、通話料金などを記憶管理するようにしてもよい。
その他、表示形式として一覧形式が選択された場合あるいは分類形式が選択された場合において、お気に入りサイト名をリスト表示する際に、どのような条件で識別表示するか、どのように識別表示するかは任意である。また、携帯電話装置に限らず、例えば、インターネット接続機能付きのＰＤＡ、電子カメラ、電子腕時計、音楽再生機などの携帯端末装置であっても同様に適用可能である。
【図面の簡単な説明】
【００５５】
【図１】携帯端末装置として適用した携帯電話装置の基本的な構成要素を示したブロック図。
【図２】電番テーブル２１を説明するための図。
【図３】お気に入りテーブル２２を説明するための図。
【図４】電源投入に伴って実行開始される携帯電話装置の全体動作を示したフローチャート。
【図５】図４に続く、フローチャート。
【図６】図５に続く、フローチャート。
【図７】図６に続く、フローチャート。
【図８】Ｗｅｂメニュー画面を示した図。
【図９】お気に入りテーブル２２に登録されたサイト名を「固定ＩＤ」別に分類して表示する場合で、（Ａ）は、分類名の一覧画面を示し、（Ｂ）は、選択分類内の登録サイト名を一覧表示したリスト画面を示した図。
【図１０】表示形式として一覧形式が選択された場合におけるお気に入りリスト画面を示した図。
【符号の説明】
【００５６】
１  ＣＰＵ
２  記憶部
５  電話通信部
１０  メイン表示部
１２  キー操作部
１３  報知部
２１  電番テーブル
２２  お気に入りテーブル
【図１】
2007202061.tif 000003
【図２】
2007202061.tif 000004
【図３】
2007202061.tif 000005
【図４】
2007202061.tif 000006
【図５】
2007202061.tif 000007
【図６】
2007202061.tif 000008
【図７】
2007202061.tif 000009
【図８】
2007202061.tif 000010
【図９】
2007202061.tif 000011
【図１０】
2007202061.tif 000012
【手続補正書】
【提出日】平成18年11月16日(2006.11.16)
【手続補正１】
【補正対象書類名】特許請求の範囲
【補正対象項目名】請求項３
【補正方法】変更
【補正の内容】
【請求項３】
前記登録手段は、登録対象として指定されたサイトが、特定サイトか否かを判別し、特定サイトであることを条件に当該サイトをアクセスした際の電話識別情報を登録する、
ようにしたことを特徴とする請求項1あるいは請求項２記載の携帯端末装置。
【手続補正２】
【補正対象書類名】特許請求の範囲
【補正対象項目名】請求項４
【補正方法】変更
【補正の内容】
【請求項４】
前記電話識別情報を登録するか否かを任意に選択指定する指定手段を設け、
この指定手段によって登録することが選択されていることを条件に前記登録手段は、当該サイトをアクセスした際の電話識別情報を登録し、
前記アクセス制御手段は、前記登録サイトをアクセスする際に、このサイトに対応して前記電話識別情報が登録されているか否かを判別し、登録を条件に電話識別情報をアクセス元の情報として当該サイトをアクセスする、
ようにしたことを特徴とする請求項1あるいは請求項２記載の携帯端末装置。
【手続補正３】
【補正対象書類名】明細書
【補正対象項目名】００１５
【補正方法】変更
【補正の内容】
【００１５】
本発明によれば、任意のサイトをアクセスした際に使用した電話識別情報をその後も当該サイトをアクセスする毎に引き続いて使用することができ、サイトをアクセス毎に電話識別情報を切り替える操作を行う必要はない。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２４
【補正方法】変更
【補正の内容】
【００２４】
ＣＰＵ１は、記憶部２内の各種のプログラムに応じてこの携帯電話装置の全体動作を制御する中核的な中央演算処理装置であり、このメインＣＰＵ１のほか、この携帯電話装置には、機能別に複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図４〜図７に示す動作手順に応じて本実施例を実現するためのプログラムが格納されている。また、記憶部２のデータ領域には、後述する電番テーブル２１、お気に入りテーブル２２などが格納されている。記録メディア３は、着脱自在な可搬型メモリで、画像データ、各種のデータ、プログラムなどを外部供給するもので、例えば、スマートメディア、ＩＣカードなどによって構成されている。メモリ４は、ワーク領域を有する内部メモリで、例えば、ＤＲＡＭ（Dynamic Random Access Memory）、ＳＤＲＡＭ（Synchronous DRAM）などによって構成されている。
【手続補正１２】
【補正対象書類名】明細書
【補正対象項目名】００３７
【補正方法】変更
【補正の内容】
【００３７】
ここで、お気に入り登録が指示されると（ステップＳ１７でＹＥＳ）、そのサイトがパスワードの入力を必要とした有料サイトか否かをチェックする（ステップＳ２０）。このサイトが有料サイトなどのように入力パスワードに基づいてユーザ認証を必要とするサイトであれば、それを条件に当該「サイト名」及び「ＵＲＬ」を取得したり、発信用として現在選択されている電話番号、つまり、「選択フラグ」がセットされている電話番号対応の「固定ＩＤ」を電番テーブル２１から読み出すことによって、この「サイト名」、「ＵＲＬ」、「固定ＩＤ」を対応付けてお気に入りテーブル２２に登録する処理を行う（ステップＳ２１）。
【手続補正１３】
【補正対象書類名】明細書
【補正対象項目名】００３８
【補正方法】変更
【補正の内容】
【００３８】
また、そのサイトがパスワードが入力されていないサイト、即ち有料サイトでなければ（ステップＳ２０でＮＯ）、「サイト名」、「ＵＲＬ」と共に「固定ＩＤ」をお気に入りテーブル２２に登録するか否かをユーザに問い合わせるためにその確認メッセージを表示出力させる（ステップＳ２２）。ここで、非登録が指示された場合には（ステップＳ２３でＮＯ）、現在アクセス中のサイトの「サイト名」、「ＵＲＬ」をお気に入りテーブル２２に登録する（ステップＳ２４）。一方、「固定ＩＤ」の登録が指示された場合には（ステップＳ２３でＹＥＳ）、現在選択されている電話番号対応の「固定ＩＤ」を他の「固定ＩＤ」に変更するか否かをユーザに問い合わせるためにその確認メッセージを表示出力させる（ステップＳ２５）。